(57)【要約】      （修正有）【課題】ウエーハ表面の加工条件とは異なる観点からナノトポロジー特性を改善し、ナノトポロジー特性、特に２ｍｍ×２ｍｍ角の測定におけるナノトポロジー特性に優れたウエーハを切り出すことのできる単結晶、及びその単結晶を育成する単結晶育成方法を提供する。【解決手段】単結晶引き上げ法により得られた単結晶であって、結晶成長時の結晶融液の温度変動に起因して単結晶中に取り込まれる不均一縞の間隔が制御されたものである単結晶、及び単結晶引き上げ法により単結晶を育成する単結晶育成方法であって、単結晶育成時の成長速度をＶ（ｍｍ／ｍｉｎ）とし、結晶融液の温度変動周期をＦ（ｍｉｎ）とし、結晶成長界面の水平面に対する角度をθとした時に、Ｖ×Ｆ／ｓｉｎθが一定の範囲となるように成長速度及び／または温度変動周期を制御して単結晶を育成する。【選択図】図１
2008169109.tif 000002
【特許請求の範囲】
【請求項１】
単結晶引き上げ法により得られたシリコン単結晶であって、結晶成長時の結晶融液の温度変動に起因して単結晶中に取り込まれる不均一縞の間隔が、結晶成長軸方向に対して垂直な面内において、１．５ｍｍ以下または２．３ｍｍ以上に制御されたものであり、かつその抵抗率が０．１Ω・ｃｍ以下であることを特徴とするシリコン単結晶。
【請求項２】
前記シリコン単結晶の直径が２００ｍｍ以上であることを特徴とする請求項１に記載のシリコン単結晶。
【請求項３】
請求項１または請求項２に記載のシリコン単結晶より切り出されたことを特徴とする単結晶ウエーハ。
【請求項４】
前記単結晶ウエーハのウエーハ全面において、２ｍｍ×２ｍｍ角の領域におけるナノトポロジーレベルの最大値の平均が１４ｎｍ以下であることを特徴とする請求項３に記載の単結晶ウエーハ。
【請求項５】
請求項３または請求項４に記載の単結晶ウエーハの表面にエピタキシャル層が形成されているものであることを特徴とするエピタキシャルウエーハ。
【請求項６】
前記エピタキシャルウエーハのウエーハ全面において、２ｍｍ×２ｍｍ角の領域におけるナノトポロジーレベルの最大値の平均が１４ｎｍ以下であることを特徴とする請求項５に記載のエピタキシャルウエーハ。
【発明の詳細な説明】
【技術分野】
【０００１】
本発明は、半導体デバイスに使用される材料に関するものであって、具体的には、ナノトポロジー特性に優れたウエーハを得ることのできる単結晶、またその単結晶より切り出された単結晶ウエーハ、並びにその単結晶ウエーハの表面にエピタキシャル層を形成したエピタキシャルウエーハに関するものである。
【背景技術】
【０００２】
半導体デバイスに使用される材料の一つにエピタキシャルウエーハがある。このエピタキシャルウエーハは、例えばシリコン単結晶ウエーハ上にシリコンをエピタキシャル成長させたものであって、その優れた特性から、個別半導体やバイポーラＩＣ等を製造するウエーハとして古くから広く用いられてきた。また、ＭＯＳ  ＬＳＩについても、ソフトエラーやラッチアップ特性が優れている事から、マイクロプロセッサユニットやフラッシュメモリデバイスに広く用いられている。エピタキシャルウエーハの優れた特性の一例としては、単結晶製造時に導入される、いわゆるＧｒｏｗｎ−ｉｎ欠陥がエピタキシャル層に実質的に存在しないので、ＤＲＡＭの信頼性等の不良が低減するということが挙げられ、その需要はますます拡大している。
【０００３】
特に、抵抗率を０．１Ωｃｍ以下とした低抵抗率ウエーハを基板として、その上にエピタキシャル成長したエピタキシャルウエーハは、ラッチアップ特性が優れている上に、基板がゲッタリング能力を備えているため、益々その重要性が高まってきている。
【０００４】
一方、近年、半導体デバイス製造工程では、ウエーハ上に金属配線を形成し、その上に絶縁膜を形成し、この絶縁膜を化学的機械的研磨（Ｃｈｅｍｉｃａｌ  Ｍｅｃｈａｎｉｃａｌ  Ｐｏｌｉｓｈｉｎｇ：ＣＭＰ）により平坦化して、更にその上に金属酸化膜、第２の金属配線を形成する場合、上述のウエーハの研磨面に存在するナノトポロジーと言われる（ナノトポグラフィーとも言われる）微少エリアでのナノメーターオーダーの凹凸が、絶縁膜の厚さの均一性を失わせ、耐圧不良を引き起こす原因の一つと考えられ、デバイスメーカー業界において問題視されるようになってきた。
【０００５】
このナノトポロジーとは、ウエーハ表面のマイクロラフネスよりも長く、表面平坦性よりも短い周期の表面形状を示すものであり、波長０．１ｍｍ〜２０ｍｍ程度で振幅が数ｎｍ〜１００ｎｍ程度の凹凸のことである。
【０００６】
また、ウエーハ表面の平坦性は、リソグラフィーからの要請で平坦化が推し進められており、近年の半導体デバイスの高集積化によりリソグラフィーの線幅が０．１８μｍ、またはそれ以上に微細化されるにつれて、ナノトポロジーが大きな問題となってきている。さらに、ＳＴＩ（Ｓｈａｌｌｏｗ  Ｔｒｅｎｃｈ  Ｉｓｏｌａｔｉｏｎ）を絶縁膜で埋めて表面を研磨する際にも、ＣＭＰ自体の研磨の均一性だけでなく、元々のウエーハのナノトポロジーを良くすることが不可欠になってきている。
【０００７】
そのため、このナノトポロジーに対する研究、検討は、デバイスメーカーのみならず素材メーカー、公的機関、学界を含む各所で行われ、その測定方法や定量的定義等に関して、目下活発な議論が展開されている。しかしながら、ナノトポロジーについては上記のような認識はあるものの、未だナノトポロジーに対する測定方法や定量的定義に関して完全に統一された公定標準規格がまとめられる段階には至っていない。
【０００８】
現在主に行われているナノトポロジーの評価方法としては、一辺が０．１ｍｍ〜１０ｍｍ程度の正方形または直径が０．１ｍｍから１０ｍｍ程度の円形のブロック範囲（ＷＩＮＤＯＷ  ＳＩＺＥ等とも呼ばれる）の領域で、ウエーハ表面の凹凸の高低差（Ｐ−Ｖ値：Ｐｅａｋ  ｔｏ  Ｖａｌｌｅｙ）を評価する方法がある。このＰ−Ｖ値は、Ｎａｎｏｔｏｐｏｇｒａｐｈｙ  Ｈｅｉｇｈｔ等とも呼ばれる。ナノトポグラフィーによる半導体ウエーハの評価においては、特にウエーハ面内に存在する凹凸の最大値が小さいことが望まれており、通常、２ｍｍ×２ｍｍの正方形で複数のブロック範囲に対して測定が行われ、そのＰ−Ｖ値の最大値で評価し、このＰ−Ｖ値の最大値が小さければ小さいほどより品質の優れたウエーハとして評価される。
【０００９】
このようなナノトポロジーの測定は、ＡＤＥ社製のＷＩＳ−ＣＲ８３−ＳＱＭあるいはＮａｎｏＭａｐｐｅｒや、ＫＬＡ−Ｔｅｎｃｏｒ社製のＳｕｒｆｓｃａｎ−ＳＰ１−ＳＴＮ、ニュークリエーション社製のＤｙｎａＳｅａｒｃｈ、黒田精工社製のＮａｎｏＭｅｔｒｏ等を用いて行われている。これらの測定装置は、すべて光学式に表面の反射を利用して凹凸の測定を行っている。
【００１０】
一般に、このようなウエーハ表面のナノトポロジーについては、ウエーハ表面の加工工程におけるエッチング条件や研磨条件等で決定されると考えられている。そのため、ナノトポロジー特性の改善は、例えば特開２００２−１４１３１１号公報で開示されるように、ウエーハ表面加工におけるＣＭＰの問題という認識から、ウエーハ表面の加工条件の検討による解決策が主に模索されており、ウエーハ表面の加工条件以外の観点からその改善を試みることはほとんどなかった。
【００１１】
今後、ナノトポロジー特性については、デバイスサイズの微細化が一層進むにつれて益々厳しい規格に収める必要が高まってくる。特に、次世代を担う材料では、最先端の極細リソグラフィーのラインで使用されることは明かであり、優れたナノトポロジー特性を有するウエーハが必然的に求められるようになるのは明らかである。
【００１２】
したがって、従来のようにウエーハ表面の加工条件からだけではなく、さらに他の観点からもナノトポロジー特性の改善を図ることによって、ナノトポロジー特性が非常に優れたウエーハを製造することが必要となってくる。
【００１３】
【特許文献１】特開２００２−１４１３１１号公報  （（００１６）−（００２３）段落、第１図−第３図）
【発明の開示】
【発明が解決しようとする課題】
【００１４】
そこで本発明は、このような点に鑑みてなされたものであり、ウエーハ表面の加工条件とは異なる観点からナノトポロジー特性を改善し、ナノトポロジー特性、特に２ｍｍ×２ｍｍ角の測定におけるナノトポロジー特性に優れたウエーハを切り出すことのできる単結晶、その単結晶より切り出された単結晶ウエーハ、及びその単結晶ウエーハ表面にエピタキシャル層を形成したエピタキシャルウエーハ、並びにその単結晶を育成する単結晶育成方法を提供することを目的とする。
【課題を解決するための手段】
【００１５】
上記目的を達成するために、本発明によれば、単結晶引き上げ法により得られた単結晶であって、結晶成長時の結晶融液の温度変動に起因して単結晶中に取り込まれる不均一縞の間隔が制御されたものであることを特徴とする単結晶が提供される。
【００１６】
本発明者等は、ウエーハ表面のナノトポロジー特性が、結晶成長時の結晶融液の温度変動に起因して単結晶中に取り込まれる不均一縞の間隔によって左右されることを新たに見出した。したがって、上記のように、単結晶引き上げ法により得られた単結晶が、結晶成長時の結晶融液の温度変動に起因して単結晶中に取り込まれる不均一縞の間隔が制御されたものであれば、ナノトポロジー特性が制御された優れた単結晶ウエーハを切り出すことのできる単結晶とすることができる。
【００１７】
このとき、前記不均一縞の間隔が、結晶成長軸方向に対して垂直な面内において、１．５ｍｍ以下または２．３ｍｍ以上に制御されたものであることが好ましい。
【００１８】
このように、単結晶中に取り込まれる不均一縞の間隔が、結晶成長軸方向に対して垂直な面内において、１．５ｍｍ以下または２．３ｍｍ以上に制御されたものであれば、現在主に測定されている２ｍｍ×２ｍｍ角の領域におけるナノトポロジーレベルが非常に優れた単結晶ウエーハを切り出すことのできる単結晶とすることができる。
【００１９】
さらに、前記単結晶がシリコンであり、その抵抗率が０．１Ω・ｃｍ以下であることが好ましい。
本発明者等はナノトポロジー特性について研究を重ねた結果、従来の低抵抗率単結晶ウエーハはゲッタリング能力に優れているものの、抵抗率制御のために添加されるドーパントの作用で、不均一縞の影響によるナノトポロジーの劣化が深刻であることがわかってきた。したがって、本発明の単結晶が、上述のようにシリコンであり、その抵抗率が０．１Ω・ｃｍ以下と低抵抗率を示すものとすれば、ナノトポロジーの劣化を確実に防止し、ゲッタリング能力に優れている上に、ナノトポロジー特性も非常に優れたウエーハが得られる単結晶とすることができるため、非常に有益である。
【００２０】
また、前記単結晶シリコンの直径が２００ｍｍ以上であるものとすることができる。
一般的に直径が２００ｍｍ以上の大口径結晶では、ある程度の高速での結晶成長が難しく、やや遅い速度範囲で育成することが多い。この結果、大口径結晶、特に直径が２００ｍｍ以上の結晶ではナノトポロジー特性が悪化せざるを得なかった。本発明では、成長速度をある程度速くすることによりナノトポロジー特性を改善できることがわかったため、直径が２００ｍｍ以上の単結晶でも優れたナノトポロジー特性を有するウエーハが得られるものとすることができる。また、成長速度を速くしてナノトポロジー特性を改善するということは、品質向上だけでなく生産性向上を図ることも可能である。
【００２１】
そして、本発明によれば、上記本発明の単結晶より切り出されたことを特徴とする単結晶ウエーハを提供することができ、このとき、前記単結晶ウエーハのウエーハ全面において、２ｍｍ×２ｍｍ角の領域におけるナノトポロジーレベルの最大値の平均が１４ｎｍ以下であるものとすることができる。
【００２２】
このような本発明の単結晶ウエーハであれば、ナノトポロジー特性に優れている高品質のウエーハとすることができ、特に、２ｍｍ×２ｍｍ角ナノトポロジーレベルをウエーハ全面にわたり測定した際に、その最大値の平均が１４ｎｍ以下の良好なレベルが達成された単結晶ウエーハとなる。
【００２３】
さらに、本発明によれば、上記本発明の単結晶ウエーハの表面にエピタキシャル層が形成されているものであることを特徴とするエピタキシャルウエーハを提供することができ、このとき、前記エピタキシャルウエーハのウエーハ全面において、２ｍｍ×２ｍｍ角の領域におけるナノトポロジーレベルの最大値の平均が１４ｎｍ以下であるものとすることができる。
【００２４】
エピタキシャルウエーハにおけるナノトポロジー特性は、基板のナノトポロジー特性を反映するものであるため、上記のように本発明の単結晶ウエーハを基板としてその表面にエピタキシャル層を形成したエピタキシャルウエーハであれば、ナノトポロジー特性に優れたものとすることができる。特に、エピタキシャルウエーハの２ｍｍ×２ｍｍ角ナノトポロジーレベルをエピタキシャルウエーハ全面にわたり測定した場合、その最大値の平均が１４ｎｍ以下の良好なレベルが達成されたものとなる。さらに、ナノトポロジー特性に優れたエピタキシャルウエーハは、単結晶ウエーハ表面とエピタキシャル層との間に凹凸に起因した内部応力（歪）の発生が少ないため、エピタキシャル層にスリップ・ラインの発生がない。その結果、デバイス製造中で熱的機械的強度に強く、特に０．１Ωｃｍ以下の低抵抗率単結晶ウエーハを基板として用いれば、ミスフィットによる高いゲッタリング能力をも有するエピタキシャルウエーハとなる。さらに、低抵抗率のウエーハであればラッチアップ特性も優れている。
【００２５】
また、本発明によれば、単結晶引き上げ法により単結晶を育成する単結晶育成方法であって、単結晶育成時の成長速度をＶ（ｍｍ／ｍｉｎ）とし、結晶融液の温度変動周期をＦ（ｍｉｎ）とし、結晶成長界面の水平面に対する角度をθとした時に、Ｖ×Ｆ／ｓｉｎθが一定の範囲となるように成長速度及び／または温度変動周期を制御して単結晶を育成することを特徴とする単結晶育成方法を提供することができる。
【００２６】
このように、単結晶引き上げ法により単結晶を育成する際に、成長速度Ｖ、結晶融液の温度変動周期Ｆ、結晶成長界面の水平面に対する角度θに関して、Ｖ×Ｆ／ｓｉｎθが一定の範囲となるように成長速度及び／または温度変動周期を制御することによって、結晶成長時の結晶融液の温度変動に起因して単結晶中に取り込まれる不均一縞の間隔を適切な大きさに制御することができる。したがって、ナノトポロジー特性を制御した優れた単結晶ウエーハを切り出すことのできる単結晶を製造することができる。尚、Ｖ×Ｆ／ｓｉｎθは、後述するように、結晶成長軸方向に対して垂直な面内における融液の温度変動に起因する不均一縞の間隔に相当する。
【００２７】
このとき、前記Ｖ×Ｆ／ｓｉｎθが１．５ｍｍ以下または２．３ｍｍ以上となるようにして単結晶を育成することが好ましい。
このように、単結晶を育成する際に、Ｖ×Ｆ／ｓｉｎθが１．５ｍｍ以下または２．３ｍｍ以上となるようにすることによって、２ｍｍ×２ｍｍ角のナノトポロジーレベルが非常に優れた単結晶ウエーハを切り出すことのできる単結晶を得ることができる。
【００２８】
さらに、前記育成する単結晶をシリコンとし、その抵抗率を０．１Ω・ｃｍ以下にすることが好ましい。
このように、本発明によって育成する単結晶をシリコンとし、その抵抗率を０．１Ω・ｃｍ以下にすることによって、低抵抗率単結晶において問題となるナノトポロジーの劣化を防止し、優れたゲッタリング能力と優れたナノトポロジー特性を有するウエーハを切り出すことのできる単結晶を製造することができる。
【００２９】
また、前記結晶融液の温度変動周期の制御を、結晶融液に印加する磁場強度、ルツボ回転速度、単結晶回転速度、導入ガス流量、結晶融液量のうちのいずれか一項目以上を制御することによって行うことが好ましい。
【００３０】
このように、温度変動周期の制御を、結晶融液に印加する磁場強度、ルツボ回転速度、単結晶回転速度、導入ガス流量、結晶融液量のうちのいずれか一項目以上を制御することによって、容易にかつ高精度に温度変動周期を制御できる。
【発明の効果】
【００３１】
本発明によれば、単結晶育成条件の制御により単結晶中に取り込まれる不均一縞の間隔を制御することによって、ナノトポロジー特性を改善できる。したがって、ナノトポロジー特性、特に２ｍｍ×２ｍｍ角の領域におけるナノトポロジー特性に優れたウエーハを切り出すことのできる単結晶、その単結晶より切り出された単結晶ウエーハ、並びにこの単結晶ウエーハにエピタキシャル層を形成したエピタキシャルウエーハを提供することができる。さらに、本発明のエピタキシャルウエーハは、エピタキシャル層の膜厚均一性に優れ、ＬＳＩデバイスにおける高歩留まりを期待することができる。
【発明を実施するための最良の形態】
【００３２】
以下、本発明について実施の形態を説明するが、本発明はこれらに限定されるものではない。
従来、ナノトポロジー特性は、主にウエーハ表面の加工工程におけるエッチング条件や研磨条件等で決定されると考えられており、ウエーハ表面加工以外の観点からナノトポロジー特性を改善する試みが行われることはなかった。
【００３３】
本発明者等は、様々な角度からナノトポロジー特性の改善を試みるため、単結晶ウエーハのナノトポロジー特性について研究を重ねた。その結果、単結晶を育成する際に、結晶成長時の結晶融液の温度変動に起因して単結晶に取りこまれる不均一縞の間隔がナノトポロジーを測定する際の測定領域の大きさと近いときに、単結晶ウエーハのナノトポロジー特性を劣化させることを見出した。
【００３４】
特に、例えばホウ素やリン等をドープした従来の低抵抗率のシリコン単結晶は、ゲッタリング能力に優れているという利点を有するものの、抵抗率を制御するドーパントの量が多いためにウエーハの硬度が高く、その結果、このドーパントの濃度の不均一が単結晶の硬さの違いを生じ、その単結晶から切り出されたシリコンウエーハの表面に微小な凹凸となって現れ易い。したがって、従来の低抵抗率のシリコン単結晶は、結晶成長起因の不均一縞によって引き起こされるナノトポロジーの劣化が非常に深刻であることがわかった。
【００３５】
そこで、本発明者等は、単結晶を育成する際に、この結晶融液の温度変動に起因する不均一縞の間隔を一定の範囲、すなわちナノトポロジーを測定する際の測定領域の大きさと異なる範囲に制御することによって、ウエーハ表面加工以外の観点からでもナノトポロジー特性の改善を図れることを見出し、本発明を完成させた。
【００３６】
すなわち、本発明によれば、単結晶引き上げ法により得られた単結晶であって、結晶成長時の結晶融液の温度変動に起因して単結晶中に取り込まれる不均一縞の間隔が制御されたものであることを特徴とする単結晶が提供される。
【００３７】
さらに、本発明は、上記のような単結晶を育成する方法として、単結晶引き上げ法により単結晶を育成する単結晶育成方法であって、単結晶育成時の成長速度をＶ（ｍｍ／ｍｉｎ）とし、結晶融液の温度変動周期をＦ（ｍｉｎ）とし、結晶成長界面の水平面に対する角度をθとした時に、Ｖ×Ｆ／ｓｉｎθが一定の範囲となるように成長速度及び／または温度変動周期を制御して単結晶を育成することを特徴とする単結晶育成方法を提供するものである。
【００３８】
以下に、本発明の単結晶育成方法について図面を参照しながら詳細に説明するが、本発明はこれらに限定されるものではない。
本発明の単結晶育成方法において用いられる単結晶育成装置は特に限定されるものではないが、例えば図１０に示すような単結晶育成装置を用いることができる。以下に図１０を参照しながら、本発明の単結晶育成方法を行うための単結晶育成装置について説明する。
【００３９】
図１０の単結晶育成装置は、結晶融液４が充填された石英ルツボ５と、これを保護する黒鉛ルツボ６と、該ルツボ５、６を取り囲むように配置された加熱ヒータ７と断熱材８がメインチャンバ１内に設置されており、該メインチャンバ１の上部には育成した単結晶３を収容し、取り出すための引上げチャンバ２が連接されている。
【００４０】
このような単結晶育成装置を用いて単結晶３を育成する場合、チョクラルスキー法（ＣＺ法）により、石英ルツボ５中の結晶融液４に種結晶を浸漬した後、種絞りを経て回転させながら静かに引上げて棒状の単結晶３を成長させる。一方、ルツボ５、６は結晶成長軸方向に昇降可能であり、結晶成長中に結晶化して減少した融液の液面下降分を補うようにルツボを上昇させ、これにより、融液表面の高さを一定に保持している。また、メインチャンバ１の内部には、引上げチャンバ２の上部に設けられたガス導入口１０からアルゴンガス等の不活性ガスが導入され、引上げ中の単結晶３とガス整流筒１１との間を通過し、遮熱部材１２の下部と融液面との間を通過し、ガス流出口９から排出されている。さらに、放射温度計（不図示）を用いて、石英ルツボ５中の結晶融液４の温度を、ガラス窓を通して結晶融液表面の輻射から測定し、結晶融液の温度変動の周期を測定する。
【００４１】
本発明によれば、このようにして単結晶を育成する際に、単結晶育成時の成長速度をＶ（ｍｍ／ｍｉｎ）とし、結晶融液の温度変動周期をＦ（ｍｉｎ）とし、結晶成長界面の水平面に対する角度をθとした時に、Ｖ×Ｆ／ｓｉｎθが一定の範囲となるように成長速度及び／または温度変動周期を制御して単結晶を育成することが重要である。
【００４２】
通常、単結晶を上記のように単結晶引き上げ法により育成する際、結晶成長界面の形状は図６に示すような上に凸の形状になっているため、ルツボ内での結晶融液温度の微小な変動が単結晶中に取り込まれて、図７に示すような不均一縞を発生させる。このとき、不均一縞の間隔ｄは、単結晶の成長速度Ｖと結晶融液の温度変動周期Ｆとの積ｄ＝Ｖ×Ｆで表される。
【００４３】
この図７のような不均一縞が形成された単結晶から単結晶ウエーハを切り出すと、作製された単結晶ウエーハには図８のような縞が形成されることとなる。このとき、ウエーハ表面における不均一縞の間隔をＬとすると（図９）、不均一縞の間隔Ｌは、結晶成長界面の水平面に対する角度θを用いてＬ＝ｄ／ｓｉｎθ＝Ｖ×Ｆ／ｓｉｎθと表される。尚、結晶成長界面の形状は図６のように曲率を持っており、厳密に測定を行うと同一ウエーハ表面内でもウエーハの径方向で不均一縞の間隔Ｌの値が異なってくる。しかしながら、その誤差はＬの値に対して非常に小さいため、結晶成長界面の形状に曲率があっても、ウエーハ表面全体における不均一縞の間隔はＬ＝Ｖ×Ｆ／ｓｉｎθを代表値として求めることができる。
【００４４】
本発明者等の研究によれば、上述のように、この不均一縞の間隔Ｌが、ナノトポロジー特性を測定する際の測定領域の大きさと近い値の場合に、単結晶ウエーハのナノトポロジー特性を劣化させることが明らかとなった。したがって、単結晶を育成する際に、ウエーハ面上での不均一縞の間隔Ｌ、すなわちＶ×Ｆ／ｓｉｎθの値がナノトポロジーを測定する際の測定領域の大きさと異なる範囲となるように単結晶の成長速度Ｖ及び／または結晶融液の温度変動周期Ｆを制御することによって、ナノトポロジー特性の劣化を防止することができる。
【００４５】
現在のナノトポロジーの測定は、前述のように、主に２ｍｍ×２ｍｍ角の領域において行われている。そのため、この２ｍｍ×２ｍｍ角の領域内におけるナノトポロジー特性を改善するには、育成される単結晶において、結晶成長軸方向に対して垂直な面内での不均一縞の間隔Ｌ、すなわちＶ×Ｆ／ｓｉｎθが、２ｍｍ前後の値となっていないことが重要である。特に、Ｖ×Ｆ／ｓｉｎθが１．５ｍｍ以下または２．３ｍｍ以上となるように成長速度Ｖ及び／または温度変動周期Ｆを制御して単結晶を育成することが好ましく、そうすることによって、ウエーハを作製した際に１４ｎｍ以下のナノトポロジーレベルを得られることが実験的に確かめられた（図１）。
【００４６】
尚、上記のＶ×Ｆ／ｓｉｎθの範囲は、現在行われている２ｍｍ×２ｍｍ角の領域においてナノトポロジーを測定した際にナノトポロジー特性の劣化を防止するものであって、本発明におけるＶ×Ｆ／ｓｉｎθの範囲はこれに限定されるものではない。すなわち、ナノトポロジーの測定領域が公式的な規格や技術の進歩等により将来的に異なってくる場合、本発明はそのナノトポロジーの測定領域に応じて適宜Ｖ×Ｆ／ｓｉｎθの範囲を適切に変更でき、それによってナノトポロジー特性の劣化を防止することができることは言うまでもない。
【００４７】
このとき、単結晶の成長速度Ｖの制御は、単結晶を引き上げる際の引き上げ速度を制御することによって行うことができる。また一方、結晶融液の温度変動周期Ｆの制御は、例えば結晶融液に印加する磁場強度、ルツボ回転速度、単結晶回転速度、導入ガス流量、結晶融液量のうちのいずれか一項目以上を制御することによって容易に行うことができる。
【００４８】
特に、温度変動周期は、結晶融液に印加する磁場強度を制御することによって容易にかつ高精度に制御することができる。実際に、図１０に示した単結晶育成装置（直径８００ｍｍのルツボを装備）を用いて、３２０ｋｇのシリコン原料をチャージしてこれらを溶解した後、シリコン単結晶を育成する直前の状態にしてシリコン融液の表面温度を放射温度計を用いて測定した。このとき、水平磁場の中心での強度を０Ｇから４０００Ｇまで変化させて、融液表面の温度変動周期を測定した。その結果、図５に示したように、０ＧでＦ＝０．２６ｍｉｎ、１０００Ｇで０．３９ｍｉｎ、２０００Ｇで０．４４ｍｉｎ、３０００Ｇで０．５０ｍｉｎ、４０００Ｇで０．５５ｍｉｎとなり、磁場強度変化に伴って温度変動周期も変化した。この結果より、結晶融液に印加する磁場強度を制御することによって結晶融液の温度変動周期を高精度に制御できることが確認された。従って、磁場強度を制御することによって、ウエーハ面内での不均一縞の間隔Ｌを高精度に制御できる。結果として、ナノトポロジーを大幅に改善できることになる。
【００４９】
以上のように、本発明の単結晶育成方法を用いることによって、結晶成長時の結晶融液の温度変動に起因して単結晶中に取り込まれる不均一縞の間隔が制御された単結晶を製造することができる。このような結晶成長起因の不均一縞の間隔が制御された単結晶であれば、ナノトポロジー特性に優れた単結晶ウエーハを切り出すことのできる単結晶とすることができる。すなわち、本発明によれば、従来のようにウエーハ表面の加工条件を制御するのではなく、単結晶育成条件を制御することによって、ウエーハのナノトポロジー特性を改善することが可能となる。
【００５０】
さらに本発明によれば、育成する単結晶がシリコンであり、シリコンにホウ素やリン等をドープして０．１Ω・ｃｍ以下と低抵抗率を示すものであっても、単結晶中に取り込まれる不均一縞の間隔を制御することによって、従来低抵抗率の単結晶で特に深刻であったナノトポロジー特性の劣化を上記のように確実に防止することができる。したがって、ゲッタリング能力に優れている上に、ナノトポロジー特性も非常に優れたウエーハが得られる低抵抗率のシリコン単結晶を育成することが可能となる。このとき、抵抗率の下限については特に限定されるものではないが、例えばホウ素やリン等のドーパントを固溶限界までドープした際の単結晶の抵抗率がその下限値となる。
【００５１】
また、本発明によれば、単結晶の直径が２００ｍｍ以上であり、ある程度成長速度を速くすることによりナノトポロジー特性を改善できる。このように、成長速度を速くしてナノトポロジー特性を改善するということは、品質面だけでなく生産性の面でも向上を図ることができる。
【００５２】
また、上記本発明の単結晶育成方法によって単結晶を育成した後、この単結晶を切り出し、従来行われているようなラッピング、面取り、研磨等の工程を施すことによって、単結晶ウエーハを製造することができる。
このような単結晶ウエーハであれば、ナノトポロジー特性に優れている高品質のウエーハとすることができる。特に、２ｍｍ×２ｍｍ角の領域におけるナノトポロジーレベルをウエーハ全面にわたり測定した際に、その最大値の平均が１４ｎｍ以下の良好なレベルが達成された単結晶ウエーハとなる。
【００５３】
さらに、この単結晶ウエーハの表面にエピタキシャル層を形成することによって、エピタキシャルウエーハを製造することができる。このようなエピタキシャルウエーハであれば、基板となる単結晶ウエーハのナノトポロジー特性が優れているため、エピタキシャルウエーハのナノトポロジー特性も優れているものとなる。特に、エピタキシャルウエーハの２ｍｍ×２ｍｍ角の領域におけるナノトポロジーレベルをウエーハ全面にわたり測定した場合、その最大値の平均が１４ｎｍ以下の良好なレベルが達成されたものとなる。
【００５４】
また、このようなナノトポロジー特性に優れたエピタキシャルウエーハは、エピタキシャル層の膜厚均一性が優れており、さらに単結晶ウエーハ表面とエピタキシャル層との間に凹凸が起因の内部応力（歪）の発生が少ないため、エピタキシャル層にスリップ・ラインが発生しない。したがって、デバイス製造中で熱的機械的強度に強く、特に０．１Ω・ｃｍ以下の低抵抗率単結晶ウエーハを基板として用いることによって高いゲッタリング能力を有するものとなる。したがって、ＬＳＩデバイスにおける高歩留りを期待することができる。
【００５５】
尚、上記本発明においては、結晶融液の温度変動に関して温度変動周期に焦点を当てて説明を行っている。しかしながら、本発明の根本的な発見に基づけば、結晶融液の温度変動幅を小さくすることによっても、単結晶ウエーハのナノトポロジー特性を改善することが可能となる。
【実施例】
【００５６】
以下、実施例及び比較例を示して本発明をより具体的に説明するが、本発明はこれらに限定されるものではない。
尚、以下の実施例及び比較例においては、ナノトポロジーの測定を２ｍｍ×２ｍｍ角の領域で行うものとする。また、ここで用いた単結晶育成装置で同直径のシリコン単結晶を育成する場合の結晶成長界面形状、すなわち結晶成長界面の水平面に対する角度θを予め調べるために、以下のようなＸ線トポグラフによる観察を行った。先ず、成長速度及び磁場強度を変化させながら単結晶を育成し、この単結晶を結晶成長軸方向にスライスして縦割りサンプルを作製した後、これに８００℃で４時間＋１０００℃で１６時間の析出熱処理を行った。その後、Ｘ線トポグラフにより熱処理した縦割りサンプルを観察した。その観察結果を図２に示す（半径部分のみ）。このＸ線トポグラフによる観察結果から、結晶成長界面の水平面に対する角度θを求めた結果、θ＝１０でほとんど変化がないことが分かった。
【００５７】
（実施例１）
先ず、図１０に示した単結晶育成装置（直径８００ｍｍの石英ルツボを装備）を用い、石英ルツボにシリコン原料を３２０ｋｇの量でチャージし、中心磁場強度４０００Ｇの水平磁場を印加しながら、直径３００ｍｍで直胴長さ約１２０ｃｍのシリコン単結晶を育成した。その際、ホウ素をドープすることによって、単結晶の抵抗率を０．００６〜０．００９Ω・ｃｍとなるようにした。このとき、図５に示した磁場強度と温度変動周期の関係から４０００Ｇの磁場強度での温度変動周期は０．５５ｍｉｎであるので、成長速度を０．４４ｍｍ／ｍｉｎに制御することとし、実施例１におけるＶ×Ｆ／ｓｉｎθの値を、Ｖ×Ｆ／ｓｉｎθ＝０．４４×０．５５／ｓｉｎ１０＝１．３９（ｍｍ）となるようにした。
【００５８】
このようにして育成したシリコン単結晶からシリコンウエーハを切出し、２ｍｍ×２ｍｍ角の領域でナノトポロジーの測定を行った。一般に、シリコン溶液量が多いほど熱対流が強く温度変動も大きくなるので、単結晶育成の早い段階であるほど溶液の温度変動に起因する不均一縞が影響を受けやすい。そのため、本実施例では、単結晶肩部から１０〜１５ｃｍの範囲から切り出したシリコンウエーハを５０枚作製し、それらのナノトポロジーを測定した。その結果、５０枚のシリコンウエーハにおける２ｍｍ×２ｍｍ角領域のナノトポロジーレベルの最大値の平均は１３．３ｎｍと良好な値であり、ナノトポロジー特性が優れていることが分かった。
【００５９】
（実施例２）
実施例１と同じ単結晶育成装置を用いて、中心磁場強度３０００Ｇの水平磁場を印加しながら、直径３００ｍｍで直胴長さ約１２０ｃｍのシリコン単結晶を育成した。その際、実施例１と同様に単結晶の抵抗率を０．００６〜０．００９Ω・ｃｍとなるようにした。このとき、３０００Ｇの磁場強度での温度変動周期は０．５０ｍｉｎであるので、成長速度を０．９２ｍｍ／ｍｉｎに制御することとし、実施例２におけるＶ×Ｆ／ｓｉｎθの値を、Ｖ×Ｆ／ｓｉｎθ＝０．９２×０．５０／ｓｉｎ１０＝２．６５（ｍｍ）となるようにした。
【００６０】
このようにして育成したシリコン単結晶の肩部から１０〜１５ｃｍの範囲から切出したシリコンウエーハを５０枚作製し、それらのナノトポロジーを測定した。その結果、ナノトポロジーレベルの最大値の平均は１１．４ｎｍと非常に良好な値であり、ナノトポロジー特性が非常に優れていた。また、図３に作製したシリコンウエーハのナノトポロジーを測定した結果をマップ状にしたものを示す。図３に示したように、実施例２のシリコンウエーハでは、ウエーハ表面に結晶起因の不均一縞が強くは観察されず、ウエーハ表面の凹凸が小さいことがわかる。
【００６１】
さらに、このシリコンウエーハの表面にエピタキシャル層を形成してエピタキシャルウエーハを作製し、そのナノトポロジーを測定したところ、上記とほぼ同等のナノトポロジーレベルを示し、ナノトポロジー特性が非常に優れていることがわかった。
【００６２】
（実施例３）
上記と同じ単結晶育成装置を用いて、磁場を印加せずに、直径３００ｍｍで直胴長さ約１２０ｃｍのシリコン単結晶を育成した。その際、単結晶の抵抗率を０．００６〜０．００９Ω・ｃｍとなるようにした。このとき、０Ｇの磁場強度での温度変動周期は０．２６ｍｉｎであるので、成長速度を０．８２ｍｍ／ｍｉｎに制御し、実施例３では、Ｖ×Ｆ／ｓｉｎθ＝０．８２×０．２６／ｓｉｎ１０＝１．２３（ｍｍ）となるようにした。
【００６３】
このようにして育成したシリコン単結晶の肩部から１０〜１５ｃｍの範囲から切出したシリコンウエーハを５０枚作製し、それらのナノトポロジーを測定した。その結果、ナノトポロジーレベルの最大値の平均は１２．３ｎｍと良好な値であり、ナノトポロジー特性が優れていた。
【００６４】
（比較例１）
上記実施例と同じ単結晶育成装置を用いて、中心磁場強度４０００Ｇの水平磁場を印加しながら、直径３００ｍｍで直胴長さ約１２０ｃｍのシリコン単結晶を育成した。その際、実施例と同様に単結晶の抵抗率を０．００６〜０．００９Ω・ｃｍとなるようにした。このとき、成長速度を０．５５ｍｍ／ｍｉｎに制御して、Ｖ×Ｆ／ｓｉｎθ＝０．５５×０．５５／ｓｉｎ１０＝１．７４（ｍｍ）となるようにした。この値は今回のナノトポロジー測定領域となる２ｍｍに近い値である。
【００６５】
このようにして育成したシリコン単結晶の肩部から１０〜１５ｃｍの範囲から切出したシリコンウエーハを５０枚作製し、それらのナノトポロジーを測定した。その結果、ナノトポロジーレベルの最大値の平均は１４．７ｎｍと大きな値を示し、ナノトポロジー特性が低下していた。このとき、作製したシリコンウエーハのナノトポロジーを測定した結果をマップ状に示したものが図４であり、ウエーハ表面に結晶成長起因の不均一縞が強く観察され、ウエーハ表面の凹凸がはっきりと確認された。
【００６６】
（比較例２）
上記と同じ単結晶育成装置を用いて、中心磁場強度４０００Ｇの水平磁場を印加しながら、直径３００ｍｍで直胴長さ約１２０ｃｍのシリコン単結晶を育成した。その際、単結晶の抵抗率を０．００６〜０．００９Ω・ｃｍとなるようにした。このとき、成長速度を０．６３ｍｍ／ｍｉｎに制御して、Ｖ×Ｆ／ｓｉｎθ＝０．６３×０．５５／ｓｉｎ１０＝１．９９（ｍｍ）となるようにした。この値は今回のナノトポロジー測定領域とほぼ同じ値である。
【００６７】
このようにして育成したシリコン単結晶の肩部から１０〜１５ｃｍの範囲から切出したシリコンウエーハを５０枚作製し、それらのナノトポロジーを測定した。その結果、ナノトポロジーレベルの最大値の平均は１５．３ｎｍと非常に大きな値を示し、ナノトポロジー特性が大きく低下していた。
【００６８】
上記実施例１〜３及び比較例１、２の結果について、Ｖ×Ｆ／ｓｉｎθを横軸に、測定したナノトポロジーレベルを縦軸にとったグラフにプロットした結果を図１に示す。この図１より、Ｖ×Ｆ／ｓｉｎθの値が２ｍｍのところでナノトポロジーレベルが最も悪化しており、Ｖ×Ｆ／ｓｉｎθの値が２ｍｍから小さく、または大きくなるにつれてウエーハのナノトポロジー特性が良好となることがわかる。さらに、Ｖ×Ｆ／ｓｉｎθが１．５ｍｍ以下または２．３ｍｍ以上の範囲では、ナノトポロジーの最大値の平均が１４ｎｍ以下を示した。
【００６９】
また、実施例２及び３のように、成長速度を速くしてナノトポロジーを改善できることは、生産性向上の点からも非常に有望な技術である。直径２００ｍｍ以上の大口径の単結晶を育成する場合、高速での結晶成長は難しいため、一般に結晶成長速度がやや遅い比較例１及び２のような速度範囲で育成することが多い。したがって、実施例２及び３のように、成長速度を速くしてナノトポロジー特性を改善すれば、品質向上だけでなく生産性の向上も図ることができる。
【００７０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００７１】
例えば、上記では、直径３００ｍｍの単結晶を育成する場合を例に挙げて説明したが、本発明はこれに限定されるものではなく、直径２００ｍｍ、あるいは４００ｍｍ以上の大口径を有する単結晶を育成する場合であっても、同様に本発明を適用することができる。
【図面の簡単な説明】
【００７２】
【図１】Ｖ×Ｆ／ｓｉｎθとナノトポロジーレベルの関係を表したグラフである。
【図２】結晶成長界面形状を調べるために、Ｘ線トポグラフにより単結晶の縦割りサンプルを観察した結果（半径部分のみ）を表す図である。
【図３】実施例２におけるウエーハのナノトポロジーを測定した結果をマップ状に示した図である。
【図４】比較例１におけるウエーハのナノトポロジーを測定した結果をマップ状に示した図である。
【図５】磁場強度と結晶溶液の温度変動周期の関係を表したグラフである。
【図６】単結晶を育成する際の結晶成長界面を模式的に表した図である。
【図７】結晶溶液の温度変動が不均一縞として単結晶内に取り込まれた様子を模式的に表した単結晶の断面図である。
【図８】図７の単結晶から切り出されたウエーハを模式的に表した断面図である。
【図９】ウエーハ表面における不均一縞の間隔Ｌを模式的に表した図である。
【図１０】本発明において使用した単結晶育成装置の概要図である。
【符号の説明】
【００７３】
１…メインチャンバ、  ２…引上げチャンバ、  ３…単結晶、  ４…結晶融液、  ５…石英ルツボ、  ６…黒鉛ルツボ、  ７…加熱ヒータ、  ８…断熱材、  ９…ガス流出口、  １０…ガス導入口、  １１…ガス整流筒、  １２…遮熱部材。
【図１】
2008169109.tif 000003
【図２】
2008169109.tif 000004
【図３】
2008169109.tif 000005
【図４】
2008169109.tif 000006
【図５】
2008169109.tif 000007
【図６】
2008169109.tif 000008
【図７】
2008169109.tif 000009
【図８】
2008169109.tif 000010
【図９】
2008169109.tif 000011
【図１０】
2008169109.tif 000012